(57)【要約】【課題】読取画像の色再現性を向上させることが可能な画像読取装置を提供する。【解決手段】画像読取装置が各照明光について画像を高彩度で読み取ることにより、Ｒ色照明光によってシアン（Ｃ）を読み取るとき、イエロー（Ｙ）、マゼンタ（Ｍ）の混入する割合が小さくなる。Ｇ色照明光によってＭを読み取るとき、Ｙ、Ｃの混入する割合が小さくなる。また、Ｂ色照明光によってＹを読み取るとき、Ｍ、Ｃの混入する割合が小さくなる。したがって、ＣＭＹの各色素の濃淡を高彩度に読み取るためには、ＣＭＹの各色素の分光濃度特性において、ＣＭＹの各色素について最も濃度が高い波長（すなわち、各照明光における最も透過率が低い波長）で画像を読み取る。【選択図】      図６
2006109069.tif 000002
【特許請求の範囲】
【請求項１】
複数の色チャネルの各々に波長の異なる複数の照明光を備え、前記複数の色チャネルの各々において前記複数の照明光から一つの照明光を順次選択して照射する色分解手段と、
前記色分解手段が選択した前記照明光を用いて、原稿のプリスキャンを実行するプリスキャン実行手段と、
前記複数の色チャネルの各々において、前記複数の照明光を順次用いた前記プリスキャンの実行によって前記原稿に関する複数の画像データを得て、前記複数の画像データの平均値が最も小さくなる前記照明光を本スキャンの照明光として選択する照明光選択手段と
から構成されることを特徴とする画像読取装置。
【請求項２】
請求項１記載の画像読取装置において、
前記照明光選択手段は、赤の色チャネルにおいて、前記複数の画像データの平均値が同一である場合、長波長側の前記照明光を選択することを特徴とする画像読取装置。
【請求項３】
複数の色チャネルの各々に波長の異なる複数の照明光を備え、前記複数の色チャネルの各々において前記複数の照明光から一つの照明光を順次選択して照射する色分解ステップと、
前記色分解手段が選択した前記照明光を用いて、原稿のプリスキャンを実行するプリスキャン実行ステップと、
前記複数の色チャネルの各々において、前記複数の照明光を順次用いた前記プリスキャンの実行によって前記原稿に関する複数の画像データを得るとともに、前記複数の画像データの平均値が最も小さくなる前記照明光を本スキャンの照明光として選択する照明光選択ステップと
から構成されることを特徴とする画像読取方法。
【発明の詳細な説明】
【技術分野】
【０００１】
本発明は、読み取り画像の色再現性を向上させるのに適した画像読取装置に関する。
【背景技術】
【０００２】
照明光の色を切り替える方式の画像読取装置は、一般に、光源として、赤（Ｒ）色発光ダイオードと緑（Ｇ）色発光ダイオードと青（Ｂ）色発光ダイオードとを備えている。そして、点灯する発光ダイオードを順次に切り替えることにより、照明光の色を切り替えて色分解する。Ｒ色照明光を用いて読み取った色素成分と、Ｇ色照明光を用いて読み取った色素成分と、Ｂ色照明光を用いて読み取った色素成分とに基づいて、カラー画像が再現される。ここで、画像読取装置が対象とする原稿は、リバーサルフィルムやカラー印刷物である。
【０００３】
このような画像読取装置に対して、読み取り画像の色再現性を改善するため、光源として、前述した３種類の発光ダイオード（Ｒ、Ｇ、Ｂ）だけではなく、４種類以上の発光ダイオードを用いて、色分解することが提案されている。例えば、Ｒ、Ｇ、Ｂの他に、Ｙ（イエロー）、Ｃ（シアン）の５種類の色を発光できる光源を用いる技術がある（特許文献１参照）。
【特許文献１】特開平１１−２４３４９２号公報（段落番号００１２、図２、図３）
【発明の開示】
【発明が解決しようとする課題】
【０００４】
４種類以上の発光ダイオードを用いて色分解する画像読取装置は、４種類以上の全ての発光ダイオードを発光させて、本スキャンする必要がある。そのため、色再現性は向上する。しかし、３種類の発光ダイオード（Ｒ、Ｇ、Ｂ）を用いて画像を読み取る場合（３回の本スキャン）と比較して、本スキャンの実行回数が増えるため、画像の読み取りに多大の時間を要するという問題点がある。
【０００５】
本発明の目的は、短い読み取り時間で、色再現性を向上させることが可能な画像読取装置及び画像読取方法を提供することにある。
【課題を解決するための手段】
【０００６】
請求項１記載の画像読取装置は、複数の色チャネルの各々に波長の異なる複数の照明光を備え、複数の色チャネルの各々において複数の照明光から一つの照明光を順次選択して照射する色分解手段と、色分解手段が選択した照明光を用いて、原稿のプリスキャンを実行するプリスキャン実行手段と、複数の色チャネルの各々において、複数の照明光を順次用いたプリスキャンの実行によって原稿に関する複数の画像データを得て、複数の画像データの平均値が最も小さくなる照明光を本スキャンの照明光として選択する照明光選択手段とから構成されることを特徴とする。
【０００７】
請求項２記載の画像読取装置は、請求項１記載の画像読取装置において、照明光選択手段は、赤の色チャネルにおいて、複数の画像データの平均値が同一である場合、長波長側の照明光を選択することを特徴とする。
請求項３記載の画像読取方法は、複数の色チャネルの各々に波長の異なる複数の照明光を備え、複数の色チャネルの各々において複数の照明光から一つの照明光を順次選択して照射する色分解ステップと、色分解手段が選択した照明光を用いて、原稿のプリスキャンを実行するプリスキャン実行ステップと、複数の色チャネルの各々において、複数の照明光を順次用いたプリスキャンの実行によって原稿に関する複数の画像データを得るとともに、複数の画像データの平均値が最も小さくなる照明光を本スキャンの照明光として選択する照明光選択ステップとから構成されることを特徴とする。
【発明の効果】
【０００８】
本発明によれば、短い読み取り時間で、原稿を高彩度で読み取ることができ、色再現性を向上させることが可能な画像読取装置及び画像読取方法を提供することができる。
【発明を実施するための最良の形態】
【０００９】
以下、本発明の実施形態について説明するが、その前に実施形態の説明の前提として、本発明の原理について説明する。
＜本発明の原理＞
画像読取装置は対象とする原稿（リバーサルフィルムやカラー印刷物等）を読み取る場合、ＲＧＢの３原色を用いて色分解を行い、各色の色素成分に基づいて、カラー画像を再現する。ここで、重要なことは、Ｒ色照明光、Ｇ色照明光、Ｂ色照明光の各々において、各波長における出力分布が色再現の精度を左右することである。具体的には、Ｒ色照明光、Ｇ色照明光、Ｂ色照明光を原稿に順次照射したとき、ＲＧＢの各照明光について、いかに各色素の濃淡を高彩度で読み取ることができるかということにかかっている。これによって、画像読取装置は、Ｒ色照明光によって読み取るＣ（シアン）成分と、Ｇ色照明光によって読み取るＭ（マゼンタ）成分と、Ｂ色照明光によって読み取るＹ（イエロー）成分とを、高彩度で読み取ることが可能になる。
【００１０】
すなわち、画像読取装置が各照明光について画像を高彩度で読み取ることにより、次のような現象が生じる。Ｒ色照明光によってＣ成分を読み取るとき、Ｙ成分、Ｍ成分の混入する割合が小さくなる。Ｇ色照明光によってＭ成分を読み取るとき、Ｙ成分、Ｃ成分の混入する割合が小さくなる。また、Ｂ色照明光によってＹ成分を読み取るとき、Ｍ成分、Ｃ成分の混入する割合が小さくなる。
【００１１】
したがって、ＣＭＹの各色素の濃淡を高彩度に読み取るためには、ＣＭＹの各色素の分光濃度特性において、ＣＭＹの各色素について最も濃度が高い波長（すなわち、各照明光における最も透過率が低い波長）で画像を読み取ることが好ましい。
以下、カラーリバーサルフィルム（以下、単にリバーサルフィルムと称する）を例にして、高彩度で画像を読み取るための原理について具体的に説明する。
【００１２】
なお、リバーサルフィルムに関しては、ＣＭＹの各色素の分光濃度特性は、フィルムメーカにより、その銘柄に応じてインターネット等を通じて公開されている。したがって、ＣＭＹの各色素について最も濃度が高い波長、すなわち、ＲＧＢの各照明光における最も透過率が低い波長は、規格上は把握できる。しかし、リバーサルフィルムの製造ばらつき等に起因して、当該銘柄のリバーサルフィルムが前述した公開されている分光濃度特性と同一の分光濃度特性を有しているとは限らない。したがって、Ｒ色照明光の波長、Ｇ色照明光の波長、及びＢ色照明光の波長を、分光濃度特性から得られる最も透過率が低い波長に固定しても、各色素の濃淡を高彩度で読み取ることは困難である。
【００１３】
以下、図１〜図５を用いて、さらに具体的にリバーサルフィルムについて、高彩度の画像の読み取り手法を説明する。具体的には、Ｍ色素をＧ色照明光（Ｇ色ＬＥＤ）を用いて、高彩度で読み取る場合について説明する。
図１は、リバーサルフィルムの分光濃度特性の一例を示す図である。図示するように、このリバーサルフィルムは、Ｍ色素に関して波長５４０ｎｍにおいて濃度のピーク値が存在する。
【００１４】
図２は、リバーサルフィルムに対して、Ｇ色照明光を照射する３個のＧ色ＬＥＤ（ＬＥＤ５３５、ＬＥＤ５４０、ＬＥＤ５４５）の発光強度特性を示す図である。３個のＧ色ＬＥＤは、図示するように、ピーク波長として、５３５ｎｍ、５４０ｎｍ、５４５ｎｍを有している。ここで、ＬＥＤ５３５、ＬＥＤ５４０、ＬＥＤ５４５は、半値幅２５ｎｍのＧ色ＬＥＤである。
【００１５】
図３は、リバーサルフィルムを用いて被写体を撮像し、現像されたリバーサルフィルムにおけるＭ色素の分光濃度特性（ＭｇＤ（λ））を示す図である。この例では、波長５４０ｎｍにおいて、Ｍ色素の濃度のピーク値が存在する。
図４は、図３に示すリバーサルフィルムの分光透過率（ＭｇＴ（λ））を示す図である。
【００１６】
一般に、透過率Ｔと濃度Ｄは、よく知られているように次の関係にある。
Ｔ＝−ｌｏｇ（１／Ｄ）
したがって、図３と図４において、
ＭｇＴ（λ）＝−ｌｏｇ（１／Ｄ）＝−ｌｏｇ（１／ＭｇＤ（λ））
の関係が成立する。
【００１７】
図５は、図３に示すリバーサルフィルムの分光透過率ＭｇＴ（λ）（左縦軸）と、Ｇ色照明光を照射する３個のＧ色ＬＥＤ（ＬＥＤ５３５、ＬＥＤ５４０、ＬＥＤ５４５）から照射されたＧ色照明光が、リバーサルフィルムを透過して、ＣＣＤ（図示せず）の受光面に到達したときの透過出力ＰＷ５３５、ＰＷ５４０、ＰＷ５４５（右縦軸）の一例を示す図である。
【００１８】
ここで、ＰＷ５３５とＰＷ５４０とＰＷ５４５は、次式の関係にある。
ＰＷ５３５＝Ｋ∫ＬＥＤ５３５（λ）・ＭｇＴ（λ）ｄλ
ＰＷ５４０＝Ｋ∫ＬＥＤ５４０（λ）・ＭｇＴ（λ）ｄλ
ＰＷ５４５＝Ｋ∫ＬＥＤ５４５（λ）・ＭｇＴ（λ）ｄλ
ここで、Ｋは定数である。
【００１９】
また、ＬＥＤ５３５（λ）、ＬＥＤ５４０（λ）、ＬＥＤ５４５（λ）は発光強度を意味する。なお、ＬＥＤ５３５（λ）のように、λの関数としているのは、ＬＥＤ５３５等が波長に関し、多少の幅を持っているからである。
図５から明らかなように、
ＰＷ５３５＞ＰＷ５４５＞ＰＷ５４０
の関係が成立する。
【００２０】
すなわち、Ｇ色照明光がＣＣＤ（図示せず）等の受光面に到達したときの透過出力が最も小さいＰＷ５４０のとき、Ｍ色素の彩度が最も高くなる。すなわち、Ｍ色素の濃度ＭｇＤ（λ）が高く（換言すると、Ｍ色素の透過率ＭｇＴ（λ）が低い）、透過しにくい波長のＧ色照明光ＰＷ５４０を照射することにより、Ｍ色素の彩度は高くなる。したがって、リバーサルフィルムの透過光が最も暗くなるＧ色ＬＥＤを選べばよい。これは、ＲＧＢ３原色の場合、Ｒ色素とＢ色素がＧ色素に影響する程度が小さくなるためである。
【００２１】
以上に原理として説明した事項は、Ｒ色及びＢ色を照射する場合にも、同様に成立する。
＜実施形態＞
前記した本発明の原理を踏まえて、本発明の実施形態について説明する。本実施形態は請求項１〜３に対応する。
【００２２】
図６は、本発明の実施形態を示すブロック図である。
図６において、１０１はＣＰＵ、１０２はＲＯＭ、１０３はＲＡＭ、１０４はＬＥＤ切替回路、１０５はＲ色、Ｇ色、Ｂ色の各々について互いに波長の異なる３種類の光を発光する９つのＬＥＤ（赤に関して３個のＬＥＤ、緑に関して３個のＬＥＤ、青に関して３個のＬＥＤ）を備えた色分解チャネル、１０６はコンデンサレンズ、１０７はカラーリバーサルフィルム、１０８は投影レンズ、１０９はリニアＣＣＤ、１１０は相関二重サンプリング回路、１１１はＡ／Ｄコンバータ、１１２はシェーディング補正回路、１１３はステッピングモータ、１１４はステッピングモータ制御回路、１１５はラインメモリ、１１６はバッファ（ＦＩＦＯ）、１１７はパーソナルコンピュータ等の外部装置にデータ出力するためのインタフェース、１１８はバスである。ここで、前記９個のＬＥＤは、半値幅が２５ｎｍ程度のナローバンドの光を発光する。
【００２３】
ここで、請求項に記載する複数の色チャネルは、赤に関する３個のＬＥＤと緑に関する３個のＬＥＤと青に関する３個のＬＥＤが相当する。請求項に記載する色分解手段は、色分解チャネル１０５とＬＥＤ切替回路１０４が対応する。請求項に記載するプリスキャン実行手段は、図１において、バッファ１１６とインタフェース１１７を除いた全ての部分が対応する。
【００２４】
以上の構成を有する画像読取装置の動作の概略を説明する。画像読取装置において、ＣＰＵ１０１は、バス１１８を介して装置全体を制御する。ＲＯＭ１０２は、ＣＰＵ１０１の制御プログラムを格納する。ＲＡＭ１０３は、演算用のメモリである。色分解チャネル１０５は、発光色Ｒ１、Ｒ２、Ｒ３、Ｇ１、Ｇ２、Ｇ３、Ｂ１、Ｂ２、Ｂ３から選択された一つの色を発光する。ＬＥＤ切替回路１０４は、色分解チャネル１０５が発光する発光色Ｒ１、Ｒ２、Ｒ３、Ｇ１、Ｇ２、Ｇ３、Ｂ１、Ｂ２、Ｂ３を切り替える。ここで、発光色の切り替えは、ＬＥＤ切替回路１０４が色分解チャネル１０５を構成している不図示の９個の発光ダイオードＬＥＤ６５５（Ｒ１）、ＬＥＤ６６０（Ｒ２）、ＬＥＤ６６５（Ｒ３）、ＬＥＤ５３５（Ｇ１）、ＬＥＤ５４０（Ｇ２）、ＬＥＤ５４５（Ｇ３）、ＬＥＤ４３５（Ｂ１）、ＬＥＤ４４０（Ｂ２）、ＬＥＤ４４５（Ｂ３）から一つを選択することによって行われる。なお、発光ダイオードの符号ＬＥＤの後ろに付記している６５５、６６０等の数字は発光する光のピーク波長を意味している。すなわち、赤色を発光する３個の発光ダイオードのピーク波長（６５５ｎｍ、６６０ｎｍ、６６５ｎｍ）は、各々５ｎｍづつずれている。緑色を発光する３個の発光ダイオード、及び青色を発光する３個の発光ダイオードについても、同様である。コンデンサレンズ１０６は、色分解チャネル１０５から照射される光をリバーサルフィルム１０７（原稿）面に集光し、集光点を主走査方向（紙面に対して垂直方向）に移動する。また、ステッピングモータ１１３は、ステッピングモータ制御回路１１４によって制御され、リバーサルフィルム１０７を副走査方向（矢印Ａの方向）に１ラインづつ移動させたり、初期位置に移動させたりする。これによって、リバーサルフィルム１０７の全面がスキャンされる。
【００２５】
次に、リバーサルフィルム１０７を透過した光は、投影レンズ１０８に入射されリニアＣＣＤ１０９上に投影される。リニアＣＣＤ１０９の出力であるアナログ信号は、Ａ／Ｄコンバータ１１１によってデジタル信号に変換される。なお、デジタル信号はリバーサルフィルム１０７を読み取った画像データと等価であるので、以後の説明では画像データと称する。シェーディング補正回路１１２は、入力される画像データについてシェーディング補正を行う。シェーディング補正回路１１２から出力される画像データは、ラインメモリ１１５に入力される。
【００２６】
ラインメモリ１１５は、現在実行されているスキャンがプリスキャンの場合、バス１１８を介して、デジタル信号を演算用のＲＡＭに送る。また、ラインメモリ１１５は、現在実行されているスキャンが本スキャンの場合、バッファ１１６とインタフェース１１７を介してデジタル信号を画像データとしてパーソナルコンピュータ（図示せず）に出力する。
【００２７】
次に、画像読取装置における具体的な動作手順について説明する。
画像読取装置は、最初に、色分解チャネル１０５の各発光色Ｒ１、Ｒ２、Ｒ３、Ｇ１、Ｇ２、Ｇ３、Ｂ１、Ｂ２、Ｂ３のピーク値が同一の状態で発光するように、９個の発光ダイオードＬＥＤ６５５（Ｒ１）、ＬＥＤ６６０（Ｒ２）、ＬＥＤ６６５（Ｒ３）、ＬＥＤ５３５（Ｇ１）、ＬＥＤ５４０（Ｇ２）、ＬＥＤ５４５（Ｇ３）、ＬＥＤ４３５（Ｂ１）、ＬＥＤ４４０（Ｂ２）、ＬＥＤ４４５（Ｂ３）の発光量を正規化する。
【００２８】
前述の正規化は、ホワイトバランス時間を設定し、リバーサルフィルム１０７をセットしない素通しの状態において、各発光ダイオードを発光させる。そして、そのときのＡ／Ｄコンバータ１１１の出力が、Ａ／Ｄコンバータ１１１のフルレンジ（例えば、２５５）の例えば９０パーセントになるように、各発光ダイオードの露光量を決定する。露光量は発光ダイオードの発光時間で定まる。また、前述の動作時に、各発光ダイオードについて、シェーディング補正回路１１２で用いるシェーディング係数を算出する。この動作は、ＣＰＵ１０１が、ＲＯＭ１０２に格納されたＣＰＵプログラムに基づいてＲＡＭ１０３を用いて行う。正規化の結果、決定された各発光ダイオードの露光量は、各発光ダイオードの発光時間として色分解チャネル１０５に反映される。また、算出された各シェーディング係数は、シェーディング補正回路１１２に反映される。
【００２９】
次に、図７と図８を用いて、プリスキャンにおいて、演算用のＲＡＭ１０３に送られた画像データの処理について説明する。以下の具体例では、色分解チャネル１０５が赤の光Ｒ１、Ｒ２、Ｒ３を順次切り替えてプリスキャンを行い、本発光で用いる発光ダイオードをＬＥＤ６５５（Ｒ１）とＬＥＤ６６０（Ｒ２）とＬＥＤ６６５（Ｒ３）の中から選択する手順について説明する。
【００３０】
なお、プリスキャンは、リバーサルフィルム１０７をセットし、その全面を粗く（例えば、３００ｄｐｉ程度）スキャンする。また、プリスキャンは、言うまでもなく、前述した正規化の手順において、各ダイオードＬＥＤ６５５、ＬＥＤ６６０、ＬＥＤ６６５の各々について得られた露光時間（発光時間）で行われる。
まず、ＬＥＤ切替回路１０４は、発光ダイオードＬＥＤ６５５を選択し、色分解チャネル１０５がＲ１を発光する。これによって、リバーサルフィルム１０７の全面に亘って、Ｒ１によるプリスキャンが行われる。Ｒ１によるプリスキャンで得られた画像データは、ラインメモリ１１５からバス１１８に取り込まれ、ＲＡＭ１０３に格納される。ＣＰＵ１０１は、ＲＡＭ１０３に格納された画像データに基づいて、図７（ａ）に示すように、横軸が明るさを示す階調（例えば２５５：具体的にはＡ／Ｄコンバータ１１１のフルレンジ）、縦軸が発生個数を示す頻度の第１のヒストグラムを作る。図７（ａ）に示すように、このヒストグラムは、階調の全てを用いていないので、ヒストグラムの階調の最大値がＡ／Ｄコンバータ１１１のフルレンジの９５パーセントになる倍率を求める。正規化で求めた露光量に前述の倍率を掛け、新たな露光量（発光時間）を求める。そして、再度、前述の新たな露光量によって、Ｒ１によるプリスキャンを行う。
【００３１】
図８（ａ）は、再度のプリスキャンによって得られた第２のヒストグラムを示す図である。以上の処理は、ＣＰＵ１０１が、ＲＯＭ１０２に格納されたＣＰＵプログラムに基づいて、ＲＡＭ１０３を用いて実行する。
次に、Ｒ１（ＬＥＤ６５５）に関する手順と全く同様の手順により、Ｒ２（ＬＥＤ６６０）、Ｒ３（ＬＥＤ６６５）を用いてプリスキャンを行い、図７（ｂ）（ｃ）に示すように第１のヒストグラムと、図８（ｂ）（ｃ）に示すように第２のヒストグラムを作る。
【００３２】
次に、図８（ａ）（ｂ）（ｃ）に示すように、第２のヒストグラムに基づいて、Ｒ１、Ｒ２、Ｒ３でプリスキャンした場合における、リバーサルフィルム１０７の各々の明るさの平均値Ｒ１Ａｖｅ、Ｒ２Ａｖｅ、Ｒ３Ａｖｅを算出する。
ＣＰＵ１０１は、３つの明るさの平均値のうち、最も平均値が小さい発光ダイオードを選択し、本スキャンを行う。この実施形態では、Ｒ３Ａｖｅ＞Ｒ１Ａｖｅ＞Ｒ２Ａｖｅであるため、ＬＥＤ６６０（Ｒ２）が選択される。
【００３３】
なお、３つの明るさの平均値のうち、２つの平均値が同じ値であるときには、赤と緑においては、波長の長い方の発光ダイオードを選択する。その理由は、図１から明らかなように、赤においては、波長の長い方がマゼンタ（Ｍ）とイエロー（Ｙ）の影響が小さくなり、高彩度の画像が得られるからである。また、緑においては、図１からは横軸（波長）のスケールの関係から明確ではないが、実際には波長の差は５〜１０ｎｍ程度であり、赤の場合と同様に、波長の長い方がシアン（Ｃ）とイエロー（Ｙ）の影響が小さくなって彩度の高い画像が得られる。
【００３４】
以上の説明においては、色分解チャネル１０５が赤の光Ｒ１、Ｒ２、Ｒ３を順次発光して各々プリスキャンを行う場合を例にして説明したが、言うまでもなく、緑の光Ｇ１、Ｇ２、Ｇ３，及び青の光Ｂ１、Ｂ２、Ｂ３についても、同様の手順により順次プリスキャンを行い、本発光で用いる発光ダイオードを選択する。なお、プリスキャンにおける発光の順番は、Ｒ１、Ｒ２、Ｒ３、Ｇ１、Ｇ２、Ｇ３、Ｂ１、Ｂ２、Ｂ３に関し、任意である。
【００３５】
また、前述の実施形態においては、リバーサルフィルム１０７の明るさの平均値を求めるために、プリスキャンを２回実行した。しかし、本発明はこれに限定されるものではなく、最初のプリスキャンによって得られたヒストグラムの階調の最大値がＡ／Ｄコンバータ１１１のフルレンジの９５パーセントになる倍率を求め、この倍率をヒストグラムの横軸に掛けて、簡易的に第２のヒストグラムを作ってもよい。また、前記した正規化時における９０パーセントの値、及び前述した９５パーセントの値は、言うまでもなく、適宜変更してもよい。
【００３６】
また、前述の実施形態においては、色分解チャネルとしてＲＧＢの発光ダイオードを各々３個づつ設けたが、本発明はこれに限定されるものではなく、各色の発光ダイオードの数は任意でよい。また、ＲＧＢの各発光ダイオードが発光する光の波長を５ｎｍきざみに設定したが、本発明はこれに限定されるものではなく、例えば１０ｎｍきざみでもよい。さらに、ＲＧＢの各発光ダイオードが発光する光の波長は、任意の値でよい。
【００３７】
また、前述の実施形態においては、色分解チャネルとしてＲＧＢの発光ダイオードを用いたが、本発明はこれに限定されるものではなく、蛍光灯とフィルタの組み合わせ等を用いてもよい。また、リニアＣＣＤの前面にフィルタを設けて、色分解チャネルを構成してもよい。
また、前述の実施形態においては、カラーリバーサルフィルムを原稿として用いたが、本発明はこれに限定されるものではなく、カラー印刷物にも適用することができる。この場合には、例えばカラー印刷物に色分解フィルタから複数の照明光を順次照射し、その反射光を利用する構成を備えることにより、本発明を実現することができる。
【００３８】
以上の説明から明らかなように、本実施形態によれば、原稿を読み取るため、ＲＧＢ毎に設けられた複数の照明光のうち、透過光（又は反射光）が最も暗い光を選択して、本スキャンを実行するので、画像を高彩度で読み取ることができ、画像読取装置の色再現性を向上することができる。
また、プリスキャンは複数回実行されるが、プリスキャンは短時間で終わる。したがって、プリスキャンの複数回実行により、画像の読み取り時間が体感する程度まで長くなることはない。加えて、本スキャンの実行がＲＧＢについて各１回だけであるため、画像の読み取り時間が長くなることはない。
【産業上の利用可能性】
【００３９】
本発明は、画像読取装置の分野において、大いに産業上の利用することができる。
【図面の簡単な説明】
【００４０】
【図１】リバーサルフィルムの分光濃度特性の一例を示す図である。
【図２】Ｇ色照明光を照射する３個のＧ色ＬＥＤ（ＬＥＤ５３５、ＬＥＤ５４０、ＬＥＤ５４５）の発光強度特性を示す図である。
【図３】リバーサルフィルムにおけるＭ色素の分光濃度特性を示す図である。
【図４】図３に示すリバーサルフィルムの分光透過率を示す図である。
【図５】図３に示すリバーサルフィルムの分光透過率と、Ｇ色照明光を照射する３個のＧ色ＬＥＤから照射されたＧ色照明光が、リバーサルフィルムを透過し、受光面に到達したときのパワー（右縦軸）分光特性の一例を示す図である。
【図６】本発明の第１の実施形態を示すブロック図である。
【図７】最初のプリスキャンによって得られた第１のヒストグラムを示す図である。
【図８】再度のプリスキャンによって得られた第２のヒストグラムを示す図である。
【符号の説明】
【００４１】
１０１  ＣＰＵ
１０２  ＲＯＭ
１０３  ＲＡＭ
１０４  ＬＥＤ切替回路
１０５  色分解チャネル
１０６  コンデンサレンズ
１０７  カラーリバーサルフィルム
１０８  投影レンズ
１０９  リニアＣＣＤ
１１０  相関二重サンプリング回路
１１１  Ａ／Ｄコンバータ
１１２  シェーディング補正回路
１１３  ステッピングモータ
１１４  ステッピングモータ制御回路
１１５  ラインメモリ
１１６  バッファ（ＦＩＦＯ）
１１７  インタフェース                                                                
【図１】
2006109069.tif 000003
【図２】
2006109069.tif 000004
【図３】
2006109069.tif 000005
【図４】
2006109069.tif 000006
【図５】
2006109069.tif 000007
【図６】
2006109069.tif 000008
【図７】
2006109069.tif 000009
【図８】
2006109069.tif 000010